(57)【要約】本発明は、一体型高低調節洗面装置に関するものであって、洗面台の上部中央に位置して、ユーザーの操作により冷水と温水を選択的に使用量を調節しながら供給する水栓部；前記洗面台の下部に配置されており、ユーザーの操作により前記水栓部から冷水の供給を受けて、前記洗面台を上昇または下降させながら高さを調節する高さ調節部；前記水栓部の片側面に配置されており、前記水栓部と前記高さ調節部にそれぞれ連結されて、ユーザーの操作により前記水栓部から前記高さ調整部に供給される冷水の供給量と方向を調節して高さを制御するように作動させる高さ調節作動部；及び前記水栓部内部に配置されており、前記水栓部から前記高さ調節作動部に供給される冷水の供給位置に設置されて、前記水栓部で冷水の使用時に前記高さ調節作動部に供給される冷水を遮断して、高さ調節作動を抑制する作動遮断部；を含む。【選択図】図１
2021510090.tif 000002
【特許請求の範囲】
【請求項１】
洗面台の上部中央に位置して、ユーザーの操作により冷水と温水を選択的に使用量を調節しながら供給する水栓部；
前記洗面台の下部に配置されており、ユーザーの操作により前記水栓部から冷水の供給を受けて、前記洗面台を上昇または下降させながら高さを調節する高さ調節部；
前記水栓部の片側面に配置されており、前記水栓部と前記高さ調節部にそれぞれ連結されて、ユーザーの操作により前記水栓部から前記高さ調整部に供給される冷水の供給量と方向を調節して高さを制御するように作動させる高さ調節作動部；及び
前記水栓部内部に配置されており、前記水栓部から前記高さ調節作動部に供給される冷水の供給位置に設置されて、前記水栓部で冷水の使用時に前記高さ調節作動部に供給される冷水を遮断して、高さ調節作動を抑制する作動遮断部；を含むが、
前記水栓部の作動により冷水が供給されると、前記高さ調節部に供給される冷水量が減って高低調節が誤作動されることを防止するために、前記作動遮断部の作動により前記高さ調節部の作動を遮断して高さを固定し、
前記作動遮断部は、
前記高さ調節作動部の内部に配置されており、前記高さ調節部に前記水栓部の冷水が供給される部分に設置されて、内部に前記高さ調節部に供給される冷水が通過する空間である遮断空間を有し、前記遮断空間の前記水栓部供給側に流路の断面積が縮小されるように傾斜した遮断傾斜部が形成された遮断胴体；
前記遮断胴体の内部に配置されており、前記遮断空間の内部を移動しながら前記水栓部の冷水が通過する流路を開閉するように備えられ、前記水栓部方向に前記遮断傾斜部と接触する傾斜を有する弁傾斜部が形成された遮断弁体；及び
前記遮断胴体の内部に配置されており、前記遮断胴体内で前記遮断弁体が弾性支持するように備えられて弾性力により前記遮断空間を閉鎖した状態で、前記水栓部の冷水の給水が中断されると、前記遮断胴体を通じて前記高さ調節部に冷水が供給されるように開放される弾性動力を提供するばね形状の弁弾性体；を含む一体型高低調節洗面装置。
【請求項２】
前記水栓部は、
前記洗面台の上部中央から内側に固定配置されており、内部に冷温水が給水される部分が位置し、片側面に前記高さ調節作動部と前記作動遮断部が設置される水栓胴体；
前記水栓胴体の下部に内部方向に配置されており、外部から供給される冷水を供給させる管形状の冷水供給管；
前記水栓胴体の上部に配置されており、ユーザーの操作により冷水と温水の給水を選択的に制御する給水調節レバー；
前記水栓胴体の内部に配置されており、内部に前記給水調節レバーと連通し、前記冷水供給管と前記温水供給管がそれぞれ連結された給水調節空間を有する給水調節体；
前記給水調節体の内部に配置されており、前記給水調節レバーと連動するように設置されて、ユーザーの操作により前記冷水供給管から供給される冷水と前記温水供給管から供給される温水の給水可否と給水量を制御するように複数の通孔を有する板形状で備えられた給水調節板；
前記水栓胴体の前面に突出して配置されており、前記給水調節空間と連通して、前記給水調節レバーの操作によって制御される冷温水を供給する給水供給体；を含む、請求項１に記載の一体型高低調節洗面装置。
【請求項３】
前記高さ調節部は、
前記洗面台の下部に配置されており、前記洗面台の下部から供給される流体によって上下に作動されるピストンが内部から地面に固定設置されて、前記高さ調節作動部の供給位置に応じて前記洗面台を上下に移動させる調節シリンダ；
前記調節シリンダの下部に配置されており、前記高さ調節作動部の作動により冷水が供給されると、前記調節シリンダ内に前記ピストンの下部方向に冷水を供給して前記洗面台を上昇させるように前記高さ調節作動部と連結された上昇ポート；及び
前記調節シリンダの上部に配置されており、前記高さ調節作動部の作動により冷水が供給されると、前記調節シリンダ内で前記ピストンの上部方向に冷水を供給して前記洗面台を下降させるように前記高さ調節作動部と連結された下降ポート；を含む、請求項１に記載の一体型高低調節洗面装置。
【請求項４】
前記高さ調節作動部は、
前記水栓部の片側面に突出して配置されており、前記水栓部の冷水が供給される位置と連通するように設置された作動胴体；
前記作動胴体の上部に配置されており、ユーザーの操作により前記高さ調節部の上下作動を選択的に制御する作動レバー；
前記作動胴体の内部に配置されており、前記水栓部の冷水供給部分と連結されて前記高さ調節部を作動させる冷水を供給するが、内部に前記作動遮断部が設置されて、前記水栓部から冷水を給水時に供給を遮断する供給管；
前記作動胴体の内部に配置されており、前記供給管に供給される冷水がユーザーの前記作動レバーの操作により前記高さ調節部の上昇動作される位置に連結される上昇動作管；
前記作動胴体の内部に配置されており、前記供給管に供給される冷水がユーザーの前記作動レバーの操作により前記高さ調節部の下降作動される位置に連結される下降作動管；
前記作動胴体の内部に配置されており、内部に前記作動レバーと連通しながら前記供給管、前記上昇作動管、及び前記下降作動管がそれぞれ連結される作動調節空間を有する作動調節体；
前記作動調節体の内部に配置されており、前記作動レバーと連動するように前記作動調節空間内に設置されて、ユーザーの操作により前記供給管から供給される冷水を上昇動作時に前記上昇動作管に供給し、下降動作時に前記下降動作管に供給する供給可否と給水量を選択的に制御する複数の通孔を有する板形状で備えられた給水調節板；及び
前記作動調節体の一側から外部方向に配置されており、前記作動調節空間に連結されて、高さ調節作動の停止時に前記供給管に供給された冷水を外部にドレンさせるドレン管；を含む、請求項１に記載の一体型高低調節洗面装置。
【請求項５】
前記作動遮断部は、前記高さ調節作動部の内部に配置されており、前記高さ調節部に前記水栓部の冷水が供給される部分に設置されて、内部に前記高さ調節部に供給される冷水が通過する空間である遮断空間を有し、前記遮断空間の前記水栓部供給側に流路の断面積が縮小されるように傾斜した遮断傾斜部が形成された遮断胴体；前記遮断胴体の内部に配置されており、前記遮断空間の内部を移動しながら前記水栓部の冷水が通過する流路を開閉するように備えられ、前記水栓部方向に前記遮断傾斜部と接触する傾斜を有する弁傾斜部が形成された遮断弁体；及び前記遮断胴体の内部に配置されており、前記遮断胴体内で前記遮断弁体が弾性支持するように備えられて弾性力により前記遮断空間を閉鎖した状態で、前記水栓部の冷水の給水が中断されると、前記遮断胴体を通じて前記高さ調節部に冷水が供給されるように開放される弾性動力を提供するばね形状の弁弾性体；を含む、請求項１に記載の一体型高低調節洗面装置。
【発明の詳細な説明】
【技術分野】
【０００１】
本発明は、一体型高低調節洗面装置に関するものであって、より詳細には、洗面台の高低を調節する手段を給水装置と一体化されるように構造改善することにより、給水と高低調節を連携して、給水時に高低の調節作動を遮断することにより、安全性を高めるとともに、ユーザーによって操作される範囲内で給水調節と高低調節が可能であることにより、使い勝手を向上させることができる一体型高低調節洗面装置に関するものである。
【背景技術】
【０００２】
一般に、家庭のトイレ、公衆トイレ、各種シャワー施設などの洗面の用途のために水道水を使用する洗面台が設置されている。洗面台は、設定された高さを有して固定設置されることが普遍化している。このような高さ固定式洗面台は、成人を基準に、限られた高さに壁面に固定設置されるため、その設置の高さに比べて背が高かい人、または低い人、特に子供の場合には、このような一般的な成人高さの洗面台を使用するのに不便であるという問題点があった。
【０００３】
ゆえに、洗面台の高さを調節する多様な形態の技術が開発されて使用されている。
【０００４】
通常の洗面台の高低調節装置は、電気モーターを洗面台に装着して、ユーザーの操作により上下に移動する装置が使用された。
【０００５】
しかし、洗面台が浴室内部に設置されており、湿気が周辺に残存するので、電力使用による感電事故の危険性が高くて、防水性能を向上させなければならないため、コストが増大するという問題点があった。
【０００６】
したがって、最近は、水栓に供給される冷水の圧力を利用したシリンダ方式で、ユーザーの操作により高低が調節される高低調節装置が開発されて使用されている。
【０００７】
しかし、従来の高低調節装置は、洗面台の水栓部の一側に別に設置しなければないため、洗面台に別に設置される設置スペースが必要となり、従来の洗面台では設置が困難であって、専用洗面台を別に製作して施工しなければならいため、多額の費用がかかるという問題点があった。
【０００８】
また、従来の高低調節装置は、水栓部と冷水を共有することにより、水栓部で冷水を使用しながら高低調節を行うと、冷水の使用量が減少し、高低調節が直ちに作動されない状態で冷水の使用を停止すると、高低調節が急激に作動し、ユーザーが予測できなかった洗面台の移動により負傷の危険性が高くなるという問題点があった。
【発明の概要】
【発明が解決しようとする課題】
【０００９】
本発明は、上述した問題点を解決するために案出されたものであって、本発明の目的は、洗面台の高低を調節する手段を給水装置と一体化されるように構造を改善することにより、給水と高低調節を連携して、給水時に高低の調節作動を遮断することにより、安全性を高めるとともに、ユーザーによって操作される範囲内で給水調節と高低調節が可能であることにより、使い勝手を向上させることができる一体型高低調節洗面装置を提供することにある。
【００１０】
本発明の目的は、以上で言及した目的に制限されず、言及していない他の目的は、下記の記載から明確に理解されるであろう。
【課題を解決するための手段】
【００１１】
前記目的を達成するために、本発明が一実施例に係る一体型高低調節洗面装置は、洗面台の上部中央に位置して、ユーザーの操作により冷水と温水を選択的に使用量を調節しながら供給する水栓部；前記洗面台の下部に配置されており、ユーザーの操作により前記水栓部から冷水の供給を受けて、前記洗面台を上昇または下降させながら高さを調節する高さ調節部；前記水栓部の片側面に配置されており、前記水栓部と前記高さ調節部にそれぞれ連結されて、ユーザーの操作により前記水栓部から前記高さ調整部に供給される冷水の供給量と方向を調節して高さを制御するように作動させる高さ調節作動部；及び前記水栓部内部に配置されており、前記水栓部から前記高さ調節作動部に供給される冷水の供給位置に設置されて、前記水栓部で冷水の使用時に前記高さ調節作動部に供給される冷水を遮断して、高さ調節作動を抑制する作動遮断部；を含む。
【００１２】
また、前記水栓部は、前記洗面台の上部中央から内側に固定配置されており、内部に冷温水が給水される部分が位置し、片側面に前記高さ調節作動部と前記作動遮断部が設置される水栓胴体；前記水栓胴体の下部に内部方向に配置されており、外部から供給される冷水を供給させる管形状の冷水供給管；前記水栓胴体の上部に配置されており、ユーザーの操作により冷水と温水の給水を選択的に制御する給水調節レバー；前記水栓胴体の内部に配置されており、内部に前記給水調節レバーと連通し、前記冷水供給管と前記温水供給管がそれぞれ連結された給水調節空間を有する給水調節体；前記給水調節体の内部に配置されており、前記給水調節レバーと連動するように設置されて、ユーザーの操作により前記冷水供給管から供給される冷水と前記温水供給管から供給される温水の給水可否と給水量を制御するように複数の通孔を有する板形状で備えられた給水調節板；前記水栓胴体の前面に突出して配置されており、前記給水調節空間と連通して、前記給水調節レバーの操作によって制御される冷温水を供給する給水供給体；を含むことができる。
【００１３】
そして、前記高さ調節部は、前記洗面台の下部に配置されており、前記洗面台の下部から供給される流体によって上下に作動されるピストンが内部から地面に固定設置されて、前記高さ調節作動部の供給位置に応じて前記洗面台を上下に移動させる調節シリンダ；前記調節シリンダの下部に配置されており、前記高さ調節作動部の作動により冷水が供給されると、前記調節シリンダ内に前記ピストンの下部方向に冷水を供給して前記洗面台を上昇させるように前記高さ調節作動部と連結された上昇ポート；及び前記調節シリンダの上部に配置されており、前記高さ調節作動部の作動により冷水が供給されると、前記調節シリンダ内で前記ピストンの上部方向に冷水を供給して前記洗面台を下降させるように前記高さ調節作動部と連結された下降ポート；を含むことができる。
【００１４】
さらに、前記高さ調節作動部は、前記水栓部の片側面に突出して配置されており、前記水栓部の冷水が供給される位置と連通するように設置された作動胴体；前記作動胴体の上部に配置されており、ユーザーの操作により前記高さ調節部の上下作動を選択的に制御する作動レバー；前記作動胴体の内部に配置されており、前記水栓部の冷水供給部分と連結されて前記高さ調節部を作動させる冷水を供給するが、内部に前記作動遮断部が設置されて、前記水栓部から冷水を給水時に供給を遮断する供給管；前記作動胴体の内部に配置されており、前記供給管に供給される冷水がユーザーの前記作動レバーの操作により前記高さ調節部の上昇動作される位置に連結される上昇動作管；前記作動胴体の内部に配置されており、前記供給管に供給される冷水がユーザーの前記作動レバーの操作により前記高さ調節部の下降作動される位置に連結される下降作動管；前記作動胴体の内部に配置されており、内部に前記作動レバーと連通しながら前記供給管、前記上昇作動管、及び前記下降作動管がそれぞれ連結される作動調節空間を有する作動調節体；前記作動調節体の内部に配置されており、前記作動レバーと連動するように前記作動調節空間内に設置されて、ユーザーの操作により前記供給管から供給される冷水を上昇動作時に前記上昇動作管に供給し、下降動作時に前記下降動作管に供給する供給可否と給水量を選択的に制御する複数の通孔を有する板形状で備えられた給水調節板；及び前記作動調節体の一側から外部方向に配置されており、前記作動調節空間に連結されて、高さ調節作動の停止時に前記供給管に供給された冷水を外部にドレンさせるドレン管；を含むことができる。
【００１５】
さらに、前記作動遮断部は、前記高さ調節作動部の内部に配置されており、前記高さ調節部に前記水栓部の冷水が供給される部分に設置されて、内部に前記高さ調節部に供給される冷水が通過する空間である遮断空間を有し、前記遮断空間の前記水栓部供給側に流路の断面積が縮小されるように傾斜した遮断傾斜部が形成された遮断胴体；前記遮断胴体の内部に配置されており、前記遮断空間の内部を移動しながら前記水栓部の冷水が通過する流路を開閉するように備えられ、前記水栓部方向に前記遮断傾斜部と接触する傾斜を有する弁傾斜部が形成された遮断弁体；及び前記遮断胴体の内部に配置されており、前記遮断胴体内で前記遮断弁体が弾性支持するように備えられて弾性力により前記遮断空間を閉鎖した状態で、前記水栓部の冷水の給水が中断されると、前記遮断胴体を通じて前記高さ調節部に冷水が供給されるように開放される弾性動力を提供するばね形状の弁弾性体；を含むことができる。
【００１６】
前記目的を達成するための具体的な事項は、添付された図面とともに詳細に後述された実施例を参照すると明確になるであろう。
【００１７】
しかし、本発明は、以下で開示される実施例に限定されるものではなく、互いに異なる多様な形態で構成することができ、本実施例は、本発明の開示が完全に行われるようにし、本発明が属する技術分野における通常の知識を有した者に発明の範疇を完全に知らせるために提供されるものである。
【発明の効果】
【００１８】
前述した本発明の課題解決手段の一つによると、本発明の実施例に係る一体型高低調節洗面装置は、洗面台の高低を調節する手段を給水装置と一体化されるように構造改善することにより、給水と高低調節を連携して、給水時に高低の調節作動を遮断して、安全性を高めるとともに、ユーザーによって操作される範囲内で給水調節と高低調節が可能であることにより、使い勝手を向上させる効果を提供する。
【００１９】
また、本発明の実施例に係る一体型高低調節洗面装置は、給水を調節する水栓手段と高低を調節する手段を一体に備えて、従来の洗面台の水栓設置部分に設置が可能であることによって、費用を削減し、設置容易性を向上させる効果を提供する。
【図面の簡単な説明】
【００２０】
【図１】本発明の一実施例に係る一体型高低調節洗面装置を示す構成図である。
【図２】図１の一体型高低調節洗面装置の水栓部の操作により冷水が給水される状態を示す使用状態図である。
【図３】図１の一体型高低調節洗面装置の水栓部を停止した状態で、洗面台が上昇される状態を示す使用状態図である。
【図４】図１の一体型高低調節洗面装置の水栓部を停止した状態で、洗面台が下降される状態を示す使用状態図である。
【図５】図１の一体型高低調節洗面装置の水栓部を停止した状態で、洗面台の高さ調節を終えた後、冷水を外部にドレンする状態を示す使用状態図である。
【図６】図１の一体型高低調節洗面装置の主要構成である作動遮断部の閉鎖された状態を示す一部切開拡大構成図である。
【図７】図１の一体型高低調節洗面装置の主要構成である作動遮断部の開放された状態を示す一部切開拡大構成図である。
【発明を実施するための形態】
【００２１】
本発明は、多様な変更を加えることができ、様々な実施例を有することができるので、特定の実施例を図面に例示し、それを詳細な説明により詳細に説明しようとする。しかし、これは、本発明を特定の実施形態に対して限定しようとするものではなく、本発明の思想及び技術範囲に含まれるすべての変更、均等物ないし代替物を含むものと理解されるべきである。
【００２２】
本発明を説明することにおいて、関連した公知技術に対する具体的な説明が本発明の要旨を不必要に曖昧にし得ると判断される場合には、その詳細な説明を省略する。また、本明細書の説明の過程で用いられる数字（例えば、第１、第２等）は、一つの構成要素を他の構成要素と区分するための識別記号に過ぎない。
【００２３】
また、本明細書において、一構成要素が他の構成要素と「連結される」とか「結合される」などと言及された場合には、前記一構成要素が前記他の構成要素と直接連結されたり又は直接接続され得るが、特に反対になる記載が存在しない限り、中間にまた他の構成要素を媒介して連結されたり又は接続されることもあると理解されるべきである。
【００２４】
以下の説明で使用される構成要素に対する接尾辞「モジュール」及び「部」は、明細書作成の容易さのみが考慮されて付与又は混用されるものであり、それ自体が互いに区別される意味又は役割を有するものではない。また、本発明を明確に説明するために説明と関係ない部分は図面から省略し、図面における構成要素の幅、長さ、厚さなどは便宜のために誇張して表現されることがある。明細書全体にわたって同一の参照符号は同一の構成要素を示す。
【００２５】
以下、添付された図面を参照して本発明の実施のための具体的な内容を説明する。
【００２６】
図１は、本発明の一実施例に係る一体型高低調節洗面装置を示す構成図であり、図２は、図１の一体型高低調節洗面装置の水栓部の操作により冷水が給水される状態を示す使用状態図であり、図３は、図１の一体型高低調節洗面装置の水栓部を停止した状態で、洗面台が上昇される状態を示す使用状態図であり、図４は、図１の一体型高低調節洗面装置の水栓部を停止した状態で、洗面台が下降される状態を示す使用状態図であり、図５は、図１の一体型高低調節洗面装置の水栓部を停止した状態で、洗面台の高さ調節を終えた後、冷水を外部にドレンする状態を示す使用状態図であり、図６は、図１の一体型高低調節洗面装置の主要構成である作動遮断部の閉鎖された状態を示す一部切開拡大構成図であり、図７は、図１の一体型高低調節洗面装置の主要構成である作動遮断部の開放された状態を示す一部切開拡大構成図である。
【００２７】
図１ないし図７を参考すると、本発明の実施例に係る一体型高低調節洗面装置１００は、洗面台の中央上部に位置する水栓部１１０に洗面台の高さを調節する調節手段を一体で設置して設置スペースを最小化し、ユーザーが水栓とともに操作できることにより操作容易性を向上させ、水栓の使用時に冷水供給を遮断して高低が固定されるロッキング効果を示して、使用中の洗面台が移動されることが防止されて安全性を向上させる洗面装置である。
【００２８】
このような、一体型高低調節洗面装置１００は、水栓部１１０、高さ調節部１２０、高さ調節作動部１３０、及び作動遮断部１４０を含む。
【００２９】
水栓部１１０は、洗面台の上部中央に位置して、ユーザーの操作により冷水と温水を選択的に使用量を調節しながら供給するように備えられる。
【００３０】
このような、水栓部１１０は、水栓胴体１１１、温水供給管１１２、冷水供給管１１３、給水調節レバー１１４、給水調節体１１５、給水調節板１１７、及び給水供給体１１８を含む。
【００３１】
水栓胴体１１１は、洗面台の上部中央から内側に固定配置されており、内部に冷温水が給水される部分が位置し、片側面に高さ調節作動部１３０と作動遮断部１４０が設置されるように備えられる。
【００３２】
温水供給管１１２は、水栓胴体１１１の下部に内部方向に配置されており、外部から供給される温水を供給させる管形状で備えられる。
【００３３】
冷水供給管１１３は、水栓胴体１１１の下部に内部方向に配置されており、外部から供給される冷水を供給させる管形状で備えられる。
【００３４】
給水調節レバー１１４は、水栓胴体１１１の上部に配置されており、ユーザーの操作により冷水と温水の給水を選択的に制御するように備えられる。
【００３５】
給水調節体１１５は、水栓胴体１１１の内部に配置されており、内部に給水調節レバー１１４と連通し、冷水供給管１１３と温水供給管１１２がそれぞれ連結された給水調節空間１１６を有するように備えられる。
【００３６】
すなわち、給水調節体１１５は、給水調節レバー１１４で冷水と温水の選択と給水量を調節するために冷水と温水が供給される位置に設置されて、ユーザーの操作により冷水と温水の給水量を選択的に調節できるように備えられる。
【００３７】
給水調節板１１７は、給水調節体１１５の内部に配置されており、給水調節レバー１１４と連動するように設置されて、ユーザーの操作により冷水供給管１１３から供給される冷水と温水供給管１１２から供給される温水の給水可否と給水量を制御するように複数の通孔を有する板形状で備えられる。
【００３８】
すなわち、給水調節板１１７は、冷水と温水が供給されるように冷水供給管１１３と温水供給管１１２が連結されている給水調節空間１１６に板形状で備えられて、通孔の位置に応じて給水調節レバー１１４の操作により給水供給体１１８方向に開閉される位置を変更して給水される種類と量を調節するように備えられる。
【００３９】
このような給水調節板１１７は、通常、給水を調節する構成であり、詳細な説明を省略する。
【００４０】
給水供給体１１８は、水栓胴体１１１の前面に突出して配置されており、給水調節空間１１６と連通し、給水調節レバー１１４の操作によって制御される冷温水を供給するように備えられる。
【００４１】
高さ調節部１２０は洗面台の下部に配置されており、ユーザーの操作により水栓部１１０から冷水の供給を受けて洗面台を上昇または下降させながら高さを調節するように備えられる。
【００４２】
高さ調節部１２０は、調節シリンダ１２１、上昇ポート１２３、及び下降ポート１２４を含む。
【００４３】
調節シリンダ１２１は、洗面台の下部に配置されており、洗面台の下部から供給される流体によって上下に作動されるピストン１２２が内部から地面に固定設置されて、高さ調節作動部１３０の供給位置に応じて前記洗面台を上下に移動させるように備えられる。
【００４４】
上昇ポート１２３は、調節シリンダ１２１の下部に配置されており、高さ調節作動部１３０の作動によって冷水が供給されると、調節シリンダ１２１内でピストン１２２の下部方向に冷水を供給して洗面台を上昇させるように高さ調節作動部１３０と連結されて備えられる。
【００４５】
下降ポート１２４は、調節シリンダ１２１の上部に配置されており、高さ調節作動部１３０の作動によって冷水が供給されると、調節シリンダ１２１内でピストン１２２の上部方向に冷水を供給して洗面台を下降させるように高さ調節作動部１３０と連結されて備えられる。
【００４６】
高さ調節作動部１３０は、水栓部１１０の片側面に配置されており、水栓部１１０と高さ調節部１２０にそれぞれ連結されて、ユーザーの操作により水栓部１１０から高さ調節部１２０に供給される冷水の供給量と方向を調節して高さを制御するように作動させる。
【００４７】
このような高さ調節作動部１３０は、作動胴体１３１、作動レバー１３２、供給管１３３、上昇作動管１３４、下降作動管１３５、作動調節体１３６、作動調節板１３８、及びドレン管１３９を含む。
【００４８】
作動胴体１３１は、水栓胴体１１１の片側面に突出して配置されており、冷水が供給される冷水供給管１１３と連通するように設置される。
【００４９】
作動レバー１３２は、作動胴体１３１の上部に配置されており、ユーザーの操作により調節シリンダ１２１の上下作動によって洗面台の高低を制御するように作動される。
【００５０】
供給管１３３は、作動胴体１３１の内部に配置されており、冷水供給管１１３と連結されて、調節シリンダ１２１を作動させる冷水を供給するが、内部に作動遮断部１４０が設置されて、冷水供給管１１３から冷水の給水時に供給を遮断するように備えられる。
【００５１】
上昇作動管１３４は、作動胴体１３１の内部に配置されており、供給管１３３に供給される冷水がユーザーの作動レバーの操作によって上昇作動される上昇ポート１２３に連結されるように備えられる。
【００５２】
下降作動管１３５は、作動胴体１３１の内部に配置されており、供給管１３３に供給される冷水がユーザーの作動レバーの操作によって下降作動される下降ポート１２４に連結されるように備えられる。
【００５３】
作動調節体１３６は、作動胴体１３１の内部に配置されており、内部に作動レバー１３２と連通しながら供給管１３３、上昇作動管１３４、及び下降作動管１３５がそれぞれ連結される作動調節空間１３７を有するように備えられる。
【００５４】
すなわち、作動調節体１３６は、作動レバー１３２で洗面台を上昇または下降する作動の選択のために、調節シリンダ１２１に上昇ポート１２３と下降ポート１２４にそれぞれ上昇作動管１３４と下降作動管１３５で連結設置され、供給管１３３に供給される冷水を、ユーザーの操作により選択的に供給して、洗面台を上昇及び下降される作動を制御するように備えられる。
【００５５】
作動調節板１３８は、作動調節体１３６の内部に配置されており、作動レバー１３２と連動するように作動調節空間１３７内に設置されて、ユーザーの操作により供給管１３３から供給される冷水を上昇作動時に上昇作動管１３４に供給し、下降作動時に下降作動管１３５に供給する供給可否と給水量を選択的に制御する複数の通孔を有する板形状で備えられる。
【００５６】
ドレン管１３９は、作動調節体１３６の一側から外部方向に配置されており、作動調節空間１３７に連結されて、高さ調節作動の停止時に供給管１３３に供給された冷水を外部にドレンさせるように備えられる。
【００５７】
作動遮断部１４０は、水栓部１１０の内部に配置されており、水栓部１１０から高さ調節作動部１３０に供給される冷水の供給位置に設置されて、水栓部１１０から冷水の使用時に高さ調節作動部１３０に供給される冷水を遮断して高さ調節作動を抑制するように備えられる。
【００５８】
このような作動遮断部１４０は、遮断胴体１４１、遮断弁体１４４、及び弁弾性体１４６を含む。
【００５９】
遮断胴体１４１は、作動胴体１３１の内部に配置されており、供給管１３３に設置されて、内部に作動胴体１３１に供給される冷水が通過する空間である遮断空間１４２を有し、遮断空間１４２の冷水供給管１１３の連結側に流路の断面積が縮小されるように傾斜した遮断傾斜部１４３が形成される。
【００６０】
遮断弁体１４４は、遮断胴体１４１の内部に配置されており、遮断空間１４２の内部を移動しながら水栓胴体１１１の冷水が通過する流路を開閉するよう備えられ、冷水供給管方向に遮断傾斜部１４３と接触する傾斜を有するように弁傾斜部１４５が形成される。
【００６１】
遮断傾斜部１４３と弁傾斜部１４５は、遮断弁体１４４で遮断胴体１４１の閉鎖時に接触する面積が拡大する傾斜を備えたものであって、閉鎖効率をさらに向上させることができる。
【００６２】
弁弾性体１４６は、遮断胴体１４１の内部に配置されており、遮断胴体１４１内で遮断弁体１４４が弾性支持するように備えられ、弾性力によって遮断空間１４２を閉鎖した状態で水栓部１１０の冷水の給水が中断されると、遮断胴体１４１を通じて高さ調節部１２０に冷水が供給されるように開放される弾性動力を提供するばね形状で備えられる。
【００６３】
すなわち、冷水は、給水調節レバー１１４の操作により冷水供給管１１３と給水供給体１１８を通じて給水として使用し、供給管１３３を通じて作動レバー１３２の操作により調節シリンダ１２１に供給されながら、高さを調節するのに共に使用される。
【００６４】
したがって、高低の調節時に冷水を給水すると、円滑な給水が困難でなり、高低調節に必要な冷水量が減って、ユーザーが望む高低に調節できず、冷水の使用時にユーザーの誤作動によって高低を調節しても直ちに調節できず、突然高低が調節されてユーザーが予想できなかった状態で洗面台が移動されてユーザーが負傷するという問題点があった。
【００６５】
したがって、冷水供給管１１３を通じて供給管１３３に供給される位置に遮断胴体１４１を設置して、ユーザーが冷水の使用時に弁弾性体１４６の弾性力により遮断弁体１４４が遮断空間１４２を遮断して、冷水が高さ調節作動部１３０に供給されることを防止して高低調節を抑制することによって誤作動による安全性の低下を防止することができる。
【００６６】
また、冷水の使用が終わると冷水の圧力により遮断弁体１４４が移動しながら遮断空間１４２が開放されて、ユーザーが作動レバーの作動により高低を調節することができる。
【００６７】
以上の説明は、本発明の技術思想を例示的に説明したものに過ぎず、本発明の属する技術分野における通常の知識を有する者であれば、本発明の本質的な特性から脱しない範囲において、多様な修正及び変形が可能であろう。
【００６８】
したがって、本発明に開示された実施例は、本発明の技術思想を限定するためのものではなく説明するためのものであり、このような実施例により本発明の技術思想の範囲が限定されるものではない。
【００６９】
本発明の保護範囲は、以下の請求範囲によって解釈されるべきであり、それと同等の範囲内にある全ての技術思想は、本発明の権利範囲に含まれるものと解釈されるべきであろう。
【符号の説明】
【００７０】
１００：洗面装置
１１０：水栓部
１１１：水栓胴体
１１２：温水供給管
１１３：冷水供給管
１１４：給水調節レバー
１１５：給水調節体
１１６：給水調節空間
１１７：給水調節板
１１８：給水供給体
１２０：高さ調節部
１２１：調節シリンダ
１２２：ピストン
１２３：上昇ポート
１２４：下降ポート
１３０：高さ調節作動部
１３１：作動胴体
１３２：作動レバー
１３３：供給管
１３４：上昇作動管
１３５：下降作動管
１３６：作動調節体
１３７：作動調節空間
１３８：作動調節板
１３９：ドレン管
１４０：作動遮断部
１４１：遮断胴体
１４２：遮断空間
１４３：遮断傾斜部
１４４：遮断弁体
１４５：弁傾斜部
１４６：弁弾性体
【図１】
2021510090.tif 000003
【図２】
2021510090.tif 000004
【図３】
2021510090.tif 000005
【図４】
2021510090.tif 000006
【図５】
2021510090.tif 000007
【図６】
2021510090.tif 000008
【図７】
2021510090.tif 000009
【国際調査報告】
2021510090.tif 000010
2021510090.tif 000011
2021510090.tif 000012
2021510090.tif 000013